【手続補正書】
【提出日】平成15年9月17日(2003.9.17)
【手続補正１】
【補正対象書類名】明細書
【補正対象項目名】特許請求の範囲
【補正方法】変更
【補正の内容】
【特許請求の範囲】
【請求項１】
所定のグループに割り当てられたグループ識別子と、そのグループ識別子に対応するパスワードとの対応関係、前記グループに所属するメンバに割り当てられたメンバ識別子と、そのメンバ識別子に対応するパスワードとの対応関係、および、前記グループ識別子と前記メンバ識別子との対応関係を保存する保存手段と、
所定の装置より入力されたメンバ識別子とパスワードが、前記保存手段に保存されているメンバ識別子と、そのメンバ識別子に対応するパスワードにそれぞれ一致するか否かを判定する第１の判定手段と、
前記第１の判定手段による判定の結果に応じて、前記所定の装置により要求された処理を行う処理手段と
を備えることを特徴とする情報処理装置。
【請求項２】
所定のコンピュータネットワークを介して前記所定の装置との通信を行う通信手段をさらに備える
ことを特徴とする請求項１に記載の情報処理装置。
【請求項３】
前記コンピュータネットワークは、インターネットである
ことを特徴とする請求項２に記載の情報処理装置。
【請求項４】
所定の装置の利用者に対して、前記グループ識別子と、そのグループ識別子に対応するパスワード、並びに、前記メンバ識別子と、そのメンバ識別子に対応するパスワードを発行する発行手段をさらに備え、
前記保存手段は、前記発行手段により発行された前記グループ識別子と、そのグループ識別子に対応するパスワードとの対応関係、前記メンバ識別子と、そのメンバ識別子に対応するパスワードとの対応関係、および、前記グループ識別子と前記メンバ識別子との対応関係を保存する
ことを特徴とする請求項１に記載の情報処理装置。
【請求項５】
所定の装置より入力されたグループ識別子とパスワードが、前記保存手段に保存されているグループ識別子と、そのグループ識別子に対応するパスワードにそれぞれ一致するか否かを判定する第２の判定手段と、
前記第２の判定手段により、所定の装置より入力されたグループ識別子とパスワードが、前記保存手段に保存されているグループ識別子と、そのグループ識別子に対応するパスワードにそれぞれ一致すると判定された場合に、前記所定の装置の利用者に、前記メンバ識別子と、そのメンバ識別子に対応するパスワードを発行する発行手段とをさらに備え、
前記保存手段は、前記発行手段により発行された前記メンバ識別子と、そのメンバ識別子に対応するパスワードとの対応関係、および、前記グループ識別子と前記メンバ識別子との対応関係を保存する
ことを特徴とする請求項１に記載の情報処理装置。
【請求項６】
所定のグループに割り当てられたグループ識別子と、そのグループ識別子に対応するパスワードとの対応関係、前記グループに所属するメンバに割り当てられたメンバ識別子と、そのメンバ識別子に対応するパスワードとの対応関係、および、前記グループ識別子と前記メンバ識別子との対応関係を保存する所定の保存部に、前記メンバにより入力されたメンバ識別子とパスワードに一致する、メンバ識別子と、そのメンバ識別子に対応するパスワードが保存されているか否かを判定する第１の判定ステップと、
前記第１の判定ステップの処理による判定の結果に応じて、前記メンバにより要求された処理を行う処理ステップと
を含むことを特徴とする情報処理方法。
【請求項７】
前記処理ステップの処理により行われた、前記メンバにより要求された処理に対応して課金処理を行う課金ステップをさらに含む
ことを特徴とする請求項６に記載の情報処理方法。
【請求項８】
所定のコンピュータネットワークを介して前記メンバが操作する所定の装置との通信を行う通信ステップをさらに含む
ことを特徴とする請求項６に記載の情報処理方法。
【請求項９】
前記コンピュータネットワークは、インターネットである
ことを特徴とする請求項８に記載の情報処理方法。
【請求項１０】
前記グループ識別子と、そのグループ識別子に対応するパスワード、並びに、前記メンバ識別子と、そのメンバ識別子に対応するパスワードを発行する発行ステップと、
前記発行ステップの処理により発行された前記グループ識別子と、そのグループ識別子に対応するパスワードとの対応関係、前記メンバ識別子と、そのメンバ識別子に対応するパスワードとの対応関係、および、前記グループ識別子と前記メンバ識別子との対応関係の、前記保存部への保存を制御する保存制御ステップと
をさらに含むことを特徴とする請求項６に記載の情報処理方法。
【請求項１１】
前記メンバにより入力されたグループ識別子とパスワードが、前記保存部に保存されているグループ識別子と、そのグループ識別子に対応するパスワードにそれぞれ一致するか否かを判定する第２の判定ステップと、
前記第２の判定ステップの処理により、前記メンバにより入力されたグループ識別子とパスワードが、前記保存部に保存されているグループ識別子と、そのグループ識別子に対応するパスワードにそれぞれ一致すると判定された場合に、前記メンバに、前記メンバ識別子と、そのメンバ識別子に対応するパスワードを発行する発行ステップと、
前記発行ステップの処理により発行された前記メンバ識別子と、そのメンバ識別子に対応するパスワードとの対応関係、および、前記グループ識別子と前記メンバ識別子との対応関係の、前記保存部への保存を制御する保存制御ステップと
をさらに含むことを特徴とする請求項６に記載の情報処理方法。
【手続補正２】
【補正対象書類名】明細書
【補正対象項目名】０００８
【補正方法】変更
【補正の内容】
【０００８】
【課題を解決するための手段】
請求項１に記載の情報処理装置は、所定のグループに割り当てられたグループ識別子と、そのグループ識別子に対応するパスワードとの対応関係、グループに所属するメンバに割り当てられたメンバ識別子と、そのメンバ識別子に対応するパスワードとの対応関係、および、グループ識別子とメンバ識別子との対応関係を保存する保存手段と、所定の装置より入力されたメンバ識別子とパスワードが、保存手段に保存されているメンバ識別子と、そのメンバ識別子に対応するパスワードにそれぞれ一致するか否かを判定する第１の判定手段と、第１の判定手段による判定の結果に応じて、所定の装置により要求された処理を行う処理手段とを備えることを特徴とする。
所定のコンピュータネットワークを介して所定の装置との通信を行う通信手段をさらに備えるようにすることができる。
前記コンピュータネットワークは、インターネットであるようにすることができる。
所定の装置の利用者に対して、グループ識別子と、そのグループ識別子に対応するパスワード、並びに、メンバ識別子と、そのメンバ識別子に対応するパスワードを発行する発行手段をさらに備え、保存手段は、発行手段により発行されたグループ識別子と、そのグループ識別子に対応するパスワードとの対応関係、メンバ識別子と、そのメンバ識別子に対応するパスワードとの対応関係、および、グループ識別子とメンバ識別子との対応関係を保存するようにすることができる。
所定の装置より入力されたグループ識別子とパスワードが、保存手段に保存されているグループ識別子と、そのグループ識別子に対応するパスワードにそれぞれ一致するか否かを判定する第２の判定手段と、第２の判定手段により、所定の装置より入力されたグループ識別子とパスワードが、保存手段に保存されているグループ識別子と、そのグループ識別子に対応するパスワードにそれぞれ一致すると判定された場合に、所定の装置の利用者に、メンバ識別子と、そのメンバ識別子に対応するパスワードを発行する発行手段とをさらに備え、保存手段は、発行手段により発行されたメンバ識別子と、そのメンバ識別子に対応するパスワードとの対応関係、および、グループ識別子とメンバ識別子との対応関係を保存するようにすることができる。
【手続補正３】
【補正対象書類名】明細書
【補正対象項目名】０００９
【補正方法】変更
【補正の内容】
【０００９】
請求項６に記載の情報処理方法は、所定のグループに割り当てられたグループ識別子と、そのグループ識別子に対応するパスワードとの対応関係、グループに所属するメンバに割り当てられたメンバ識別子と、そのメンバ識別子に対応するパスワードとの対応関係、および、グループ識別子とメンバ識別子との対応関係を保存する所定の保存部に、前記メンバにより入力されたメンバ識別子とパスワードに一致する、メンバ識別子と、そのメンバ識別子に対応するパスワードが保存されているか否かを判定する第１の判定ステップと、前記第１の判定ステップの処理による判定の結果に応じて、前記メンバにより要求された処理を行う処理ステップとを含むことを特徴とする。
前記処理ステップの処理により行われた、メンバにより要求された処理に対応して課金処理を行う課金ステップをさらに含むようにすることができる。
所定のコンピュータネットワークを介してメンバが操作する所定の装置との通信を行う通信ステップをさらに含むようにすることができる。
前記コンピュータネットワークは、インターネットであるようにすることができる。
前記グループ識別子と、そのグループ識別子に対応するパスワード、並びに、メンバ識別子と、そのメンバ識別子に対応するパスワードを発行する発行ステップと、発行ステップの処理により発行されたグループ識別子と、そのグループ識別子に対応するパスワードとの対応関係、メンバ識別子と、そのメンバ識別子に対応するパスワードとの対応関係、および、グループ識別子とメンバ識別子との対応関係の、保存部への保存を制御する保存制御ステップとをさらに含むようにすることができる。
前記メンバにより入力されたグループ識別子とパスワードが、保存部に保存されているグループ識別子と、そのグループ識別子に対応するパスワードにそれぞれ一致するか否かを判定する第２の判定ステップと、第２の判定ステップの処理により、メンバにより入力されたグループ識別子とパスワードが、保存部に保存されているグループ識別子と、そのグループ識別子に対応するパスワードにそれぞれ一致すると判定された場合に、メンバに、メンバ識別子と、そのメンバ識別子に対応するパスワードを発行する発行ステップと、発行ステップの処理により発行されたメンバ識別子と、そのメンバ識別子に対応するパスワードとの対応関係、および、グループ識別子とメンバ識別子との対応関係の、保存部への保存を制御する保存制御ステップとをさらに含むようにすることができる。
【手続補正４】
【補正対象書類名】明細書
【補正対象項目名】００１０
【補正方法】変更
【補正の内容】
【００１０】
請求項１に記載の情報処理装置においては、所定のグループに割り当てられたグループ識別子と、そのグループ識別子に対応するパスワードとの対応関係、グループに所属するメンバに割り当てられたメンバ識別子と、そのメンバ識別子に対応するパスワードとの対応関係、および、グループ識別子とメンバ識別子との対応関係が保存され、所定の装置より入力されたメンバ識別子とパスワードが、保存されているメンバ識別子と、そのメンバ識別子に対応するパスワードにそれぞれ一致するか否かが判定され、その判定の結果に応じて、所定の装置により要求された処理が行われる。
【手続補正５】
【補正対象書類名】明細書
【補正対象項目名】００１１
【補正方法】変更
【補正の内容】
【００１１】
請求項６に記載の情報処理方法においては、所定のグループに割り当てられたグループ識別子と、そのグループ識別子に対応するパスワードとの対応関係、グループに所属するメンバに割り当てられたメンバ識別子と、そのメンバ識別子に対応するパスワードとの対応関係、および、グループ識別子とメンバ識別子との対応関係を保存する所定の保存部に、メンバにより入力されたメンバ識別子とパスワードに一致する、メンバ識別子と、そのメンバ識別子に対応するパスワードが保存されているか否かが判定され、判定の結果に応じて、メンバにより要求された処理が行われる。
【手続補正６】
【補正対象書類名】明細書
【補正対象項目名】００８２
【補正方法】変更
【補正の内容】
【００８２】
【発明の効果】
以上のごとく、請求項１に記載の情報処理装置によれば、所定のグループに割り当てられたグループ識別子と、それに対応するパスワードとの対応関係、グループに所属するメンバに割り当てられたメンバ識別子と、それに対応するパスワードとの対応関係、および、グループ識別子とメンバ識別子との対応関係を保存する所定の保存部に、所定の装置より入力されたメンバ識別子とパスワードに一致するメンバ識別子とパスワードが保存されているか否かを判定し、判定の結果に応じて、所定の装置により要求された処理を行うようにしたので、グループに所属する利用者に対して個別にサービスを提供することができるとともに、情報提供時に保存される課金情報に従って、サービスを享受した利用者が所属するグループを判別することができる。
また、請求項６に記載の情報処理方法によれば、所定のグループに割り当てられたグループ識別子と、それに対応するパスワードとの対応関係、グループに所属するメンバに割り当てられたメンバ識別子と、それに対応するパスワードとの対応関係、および、グループ識別子とメンバ識別子との対応関係を保存する所定の保存部に、メンバにより入力されたメンバ識別子とパスワードに一致するメンバ識別子とパスワードが保存されているか否かを判定し、判定の結果に応じて、メンバにより要求された処理を行うようにしたので、グループに所属する利用者に対して個別にサービスを提供することができるとともに、情報提供時に保存される課金情報に従って、サービスを享受した利用者が所属するグループを判別することができる。